(57)【要約】【課題】複数のディスプレイを有するシステムにおいて、各ディスプレイの特性を効率よく活用し、単体では実現できなかった情報表示を可能とする。【解決手段】それぞれがディスプレイ１０４，１１４を備える複数の装置１０１，１１１を接続して構成された画像表示システムであって、複数の装置の少なくとも１つが、複数の装置のそれぞれのディスプレイの表示状態を共通に操作する操作部１０５と、複数の装置のそれぞれのディスプレイの特性を検出する検出部１１２と、検出部により検出されたそれぞれのディスプレイの特性に基づいて、それぞれのディスプレイに対して許容する表示機能のレベルを判定し、判定された表示機能のレベルに応じて複数の装置のそれぞれのディスプレイに表示を行わせる表示制御部１１２とを備える。【選択図】図１
2013008036.tif 000002
【特許請求の範囲】
【請求項１】
それぞれがディスプレイを備える複数の装置を接続して構成された画像表示システムであって、
前記複数の装置の少なくとも１つが、
前記複数の装置のそれぞれのディスプレイの表示状態を共通に操作する操作手段と、
前記複数の装置のそれぞれのディスプレイの特性を検出する検出手段と、
前記検出手段により検出されたそれぞれのディスプレイの特性に基づいて、それぞれのディスプレイに対して許容する表示機能のレベルを判定し、該判定された表示機能のレベルに応じて前記複数の装置のそれぞれのディスプレイに表示を行わせる表示制御手段と、
を備えることを特徴とする画像表示システム。
【請求項２】
第１のディスプレイを備える外部装置と通信することが可能な情報処理装置であって、
前記外部装置が操作されたことを示す操作情報を受信する受信手段と、
前記操作情報に応じて、前記第１のディスプレイとは異なる第２のディスプレイへの画像の表示を制御する表示制御手段と、
前記第１のディスプレイ及び前記第２のディスプレイの特性を検出する検出手段と、
前記検出手段により検出されたそれぞれのディスプレイの特性に基づいて、前記第２のディスプレイに対して許容する表示機能のレベルを決定する決定手段とを備え、
前記表示制御手段は、前記決定手段により決定された表示機能のレベルにしたがって前記画像の表示を制御することを特徴とする情報処理装置。
【請求項３】
前記ディスプレイの特性とは解像度であって、前記表示機能のレベルとは、前記第２のディスプレイに表示させる画像の数であることを特徴とする請求項２に記載の情報処理装置。
【請求項４】
前記表示制御手段は、前記ディスプレイの解像度に応じて、前記第２のディスプレイに表示させる画像の数を段階的に増加させることを特徴とする請求項３に記載の情報処理装置。
【請求項５】
前記ディスプレイの特性とはアスペクト比であって、前記表示機能のレベルとは、前記それぞれのディスプレイに表示させる画像のレイアウトであることを特徴とする請求項２に記載の情報処理装置。
【請求項６】
第１のディスプレイを備える外部装置と通信することが可能な情報処理装置の制御方法であって、
前記外部装置が操作されたことを示す操作情報を受信する受信工程と、
前記操作情報に応じて、前記第１のディスプレイとは異なる第２のディスプレイに画像を表示する表示工程と、
前記第１のディスプレイ及び前記第２のディスプレイの特性を検出する検出工程と、
前記検出工程で検出されたそれぞれのディスプレイの特性に基づいて、前記第２のディスプレイに対して許容する表示機能のレベルを決定する決定工程とを備え、
前記表示工程では、前記決定工程により決定された表示機能のレベルにしたがって前記画像を表示することを特徴とする情報処理装置の制御方法。
【請求項７】
請求項６に記載の制御方法をコンピュータに実行させるためのプログラム。
【発明の詳細な説明】
【技術分野】
【０００１】
本発明は、複数のディスプレイを備えるシステムにおいて、効率的に表示を行う技術に関するものである。
【背景技術】
【０００２】
現在、様々なデバイスにディスプレイが搭載されている。例えば、コンパクトカメラにおいては、銀塩カメラからデジタルカメラに代わった際にディスプレイが搭載されたことにより、その場で撮影した画像を確認することが可能となった。このディスプレイ上に表示する内容は画像データのみならず、画像に付加された情報や各種設定メニューにいたるまで様々である。また、このディスプレイも近年では大画面化が進み、解像度や色再現性も豊かなものが普及している。この現象は、デジタルカメラにとどまることなく、プリンターや携帯電話や音楽プレイヤーといった情報機器を中心として非常に顕著である。
【０００３】
一方、パーソナルコンピュータ、特にノートＰＣや携帯性を追求したＰＤＡ等の携帯端末では、小型化が進む傾向もあり、以前と比べてディスプレイは非常に小さくなっている例もある。
【０００４】
各情報機器では接続性が高いものが多く、パーソナルコンピュータに各デバイスを接続することにより機能を拡張したり、プリンターとデジタルカメラを直接接続してダイレクトに印刷したりすることができる。このことにより、各装置単体では実現できない様々な機能を実現している。
【０００５】
この場合、ディスプレイを有するデバイス同士を接続した際に、一方のディスプレイは使用しない、もしくは接続中であることを示す情報を表示していることが多く、複数のディスプレイを十分に活用できていないケースが多く見られる。また、接続されたデバイスのディスプレイは、解像度やアスペクト比などが異なるケースも想定され、各ディスプレイを活用した表示を実現しにくい現状がある。
【０００６】
その中で、複数のディスプレイを備えたシステムにおいて、ディスプレイによって操作画面の表示を切り替えることによって、ユーザにとって必要のない画面を表示しない技術が提案されている（特許文献１）。
【先行技術文献】
【特許文献】
【０００７】
【特許文献１】特開平５−２７３９４７号公報
【発明の概要】
【発明が解決しようとする課題】
【０００８】
しかしながら、特許文献１に記載の技術は、ユーザにとって必要ない操作画面などを表示しないようにするにすぎず、複数のディスプレイの特性、例えば解像度や画面サイズの違いを活かして表示を行うことができない。
【０００９】
従って、本発明は上述した課題に鑑みてなされたものであり、その目的は、複数のディスプレイを有するシステムにおいて、各ディスプレイの特性を効率よく活用できるようにすることである。
【課題を解決するための手段】
【００１０】
上述した課題を解決するために、本発明に係わる画像表示システムは、それぞれがディスプレイを備える複数の装置を接続して構成された画像表示システムであって、前記複数の装置の少なくとも１つが、前記複数の装置のそれぞれのディスプレイの表示状態を共通に操作する操作手段と、前記複数の装置のそれぞれのディスプレイの特性を検出する検出手段と、前記検出手段により検出されたそれぞれのディスプレイの特性に基づいて、それぞれのディスプレイに対して許容する表示機能のレベルを判定し、該判定された表示機能のレベルに応じて前記複数の装置のそれぞれのディスプレイに表示を行わせる表示制御手段と、を備えることを特徴とする。
【００１１】
また、本発明に係わる情報処理装置は、第１のディスプレイを備える外部装置と通信することが可能な情報処理装置であって、前記外部装置が操作されたことを示す操作情報を受信する受信手段と、前記操作情報に応じて、前記第１のディスプレイとは異なる第２のディスプレイへの画像の表示を制御する表示制御手段と、前記第１のディスプレイ及び前記第２のディスプレイの特性を検出する検出手段と、前記検出手段により検出されたそれぞれのディスプレイの特性に基づいて、前記第２のディスプレイに対して許容する表示機能のレベルを決定する決定手段とを備え、前記表示制御手段は、前記決定手段により決定された表示機能のレベルにしたがって前記画像の表示を制御することを特徴とする。
【００１２】
また、本発明に係わる情報処理装置の制御方法は、第１のディスプレイを備える外部装置と通信することが可能な情報処理装置の制御方法であって、前記外部装置が操作されたことを示す操作情報を受信する受信工程と、前記操作情報に応じて、前記第１のディスプレイとは異なる第２のディスプレイに画像を表示する表示工程と、前記第１のディスプレイ及び前記第２のディスプレイの特性を検出する検出工程と、前記検出工程で検出されたそれぞれのディスプレイの特性に基づいて、前記第２のディスプレイに対して許容する表示機能のレベルを決定する決定工程と、前記表示工程では、前記決定工程により決定された表示機能のレベルにしたがって前記画像を表示することを特徴とする。
【発明の効果】
【００１３】
本発明によれば、複数のディスプレイを有するシステムにおいて、各ディスプレイの特性を効率よく活用することが可能となる。
【図面の簡単な説明】
【００１４】
【図１】本発明の第１の実施形態に係わる、デジタルカメラとＰＣとを備えるシステムの概略構成を示す図である。
【図２】デジタルカメラを背面から見た外観図である。
【図３】レリーズボタンの周囲を上方から見た図である。
【図４】デジタルカメラにおいて、再生モードにてＴＥＬＥ／ＷＩＤＥダイヤルに割り当てられている機能の一例を示す図である。
【図５】デジタルカメラにおいて、再生モードにてＴＥＬＥ／ＷＩＤＥダイヤルに割り当てられている機能の一例を示す図である。
【図６】第１の実施形態において表示される画面の一例を示す図である。
【図７】第１の実施形態における処理を示すフローチャートである。
【図８】第１の実施形態における処理を示すフローチャートである。
【図９】第１の実施形態におけるカメラ表示情報の内容を示す図である。
【図１０】第１の実施形態における処理を示すフローチャートである。
【図１１】第１の実施形態において表示される画面の一例を示す図である。
【図１２】第２の実施形態において表示される画面の一例示す図である。
【図１３】第２の実施形態における表示情報の内容を示す図である。
【図１４】第３の実施形態において表示される画面の一例を示す図である。
【図１５】第３の実施形態において表示される画面の一例を示す図である。
【発明を実施するための形態】
【００１５】
以下、本発明の好適な実施形態について、添付図面を参照して詳細に説明する。
【００１６】
（第１の実施形態）
図１は、本発明の第１の実施形態に係わる、画像処理装置の一例であるデジタルカメラ１０１と、情報処理装置の一例であるパーソナルコンピュータ（以下「ＰＣ」）１１１とを備える画像表示システムの概略構成を示す図である。
【００１７】
デジタルカメラ１０１は、被写体像を光電変換して画像信号を生成する撮像部１０６を備える。また、表示装置としてのＬＣＤディスプレイ１０４と、操作系１０５と、システム制御部１０２と、ＵＳＢインターフェース１０３も備える。さらに、システム制御部１０２が実行する制御プログラムを格納したり、撮像部１０６で生成された画像信号を記憶したりするＲＡＭ１０７、不揮発性メモリ１０８も備える。
【００１８】
ＬＣＤディスプレイ１０４は、カラー表示することが可能であり、デジタルカメラ１０１で撮影した画像を表示したり、各操作メニューを表示したりすることができる。操作系１０５は、複数のボタンから構成され、撮像部１０６の操作をしたり各種設定を行なったりすることができる。システム制御部１０２は、制御プログラムに従ってデジタルカメラ１０１の動作を制御する。また、ユーザーはＬＣＤディスプレイ１０４に表示されたメニュー等を確認しながら、操作系１０５を使用して入力を行い、システム制御部１０２はデジタルカメラ１０１の動作を制御し、必要に応じてＬＣＤディスプレイ１０４の表示を更新する。
【００１９】
ＵＳＢインターフェース１０３は、ＵＳＢ２.０等のＵＳＢ規格に準拠した有線インターフェースである。このＵＳＢインターフェース１０３の代替として、ＩＥＥＥ８０２.１１ｂ規格等の無線ＬＡＮに準拠した無線インターフェースを用いてもよい。システム制御部１０２で実行される制御プログラムは、前述したＲＡＭ１０７、不揮発性メモリ１０８などに記憶されている。
【００２０】
パーソナルコンピュータ（ＰＣ）などからなるコンピュータ１１１（以下、「ＰＣ１１１」）は、システム制御部１１２とＵＳＢインターフェース１１３を有する。また、システム制御部１１２が実行する制御プログラムを格納したり、各種のデータを記憶するＲＡＭ１１７、ＨＤＤ（ハードディスクドライブ）１１８も備える。
【００２１】
ＰＣ１１１は、キーボード１１５とマウス１１６からユーザー入力を受け付け、システム制御部１１２にて演算処理を行い、ディスプレイ１１４に映像を出力する。図１では、ディスプレイ１１４とキーボード１１５とマウス１１６とを外部接続する形態で示したが、ＰＣ１１１と一体型になっていてもよい。システム制御部１１２で実行される制御プログラムは、前述したＲＡＭ１１７、ＨＤＤ１１８などに記憶されている。
【００２２】
デジタルカメラ１０１及びＰＣ１１１は、ＵＳＢインターフェース１０３と１１３とを介することにより通信し、互いにデータを送受信することが可能である。
【００２３】
図２は、デジタルカメラ１０１を背面から見た外観図である。ＬＣＤディスプレイ１０４は撮影モード時にはファインダーとして被写体を表示してレリーズボタン２０２にて撮影を行なう。再生モード時には撮影済みの画像を表示することができ、十字キーボタン２０３を使用して画像送りなどを行なうことができる。また、これらのモードはモード切替スイッチ２０５で切り替えることができる。決定ボタン２０４やその他のボタン等を使用して、各モードにおいてデジタルカメラ１０１を操作することができる。上記の操作ボタン、スイッチ等は、全て操作系１０５に含まれる。
【００２４】
図３は、レリーズボタン２０２の周囲を上方から見た図である。ＴＥＬＥ／ＷＩＤＥダイヤル３０１は、撮影時に図に示す矢印のとおりに任意の方向へ回転させることにより、被写体へズームしたりワイドにしたりといった操作を行なうことができる。このＴＥＬＥ／ＷＩＤＥダイヤル３０１は、再生モード時にも機能が割り当てられている。この点については後述する。なお、以下の説明において、「ズーム操作」あるいは「ズーム方向に回転させる」とは、望遠側（テレ側）にズーミングする操作を意味する。
【００２５】
図４は、デジタルカメラ１０１において、再生モードにてＴＥＬＥ／ＷＩＤＥダイヤル３０１に割り当てられている機能の一例を示す図である。通常、画像が再生される場合は１つの撮影画像の全体をＬＣＤディスプレイ１０４の一画面に表示するシングル表示である。他の表示形態として、ＴＥＬＥ／ＷＩＤＥダイヤル３０１をワイド方向に回転させることによりＬＣＤ画面上に複数の画像を配置して表示するマルチ表示に切り替えることができる。マルチ表示では、例えば一画面に９枚の画像が表示される。マルチ表示からシングル表示への復帰は、ＴＥＬＥ／ＷＩＤＥダイヤル３０１をズーム方向に回転させることで行うことができる。
【００２６】
図５も、デジタルカメラ１０１において、再生モードにてＴＥＬＥ／ＷＩＤＥダイヤル３０１に割り当てられている機能の一例を示す図である。シングル再生時にＴＥＬＥ／ＷＩＤＥダイヤル３０１をズーム方向に回転させた分だけ、表示中の画像を拡大して表示させるズーム表示に切り替えることができる。これは、ズーム倍率に応じた画像の領域をトリミングし、画面に合わせた倍率で表示することで実現できる。ズーム表示からシングル表示への復帰の際には、ズームした分だけＴＥＬＥ／ＷＩＤＥダイヤル３０１をワイド方向へ回転させる。
【００２７】
これらのマルチ表示やズーム表示においては、ＬＣＤディスプレイ１０４上で表示可能な機能範囲は制限されている。つまり、マルチ表示では、縦横３×３で配置した９つの画像を閲覧できる状態までで制限される。ユーザがそれ以上ＴＥＬＥ／ＷＩＤＥダイヤル３０１をワイド方向に回転させたとしても、一度に表示される枚数を増やすことができないようデジタルカメラ１０１が制御する。これは、一度に９枚以上画像を表示すると、画像１つ当たりの大きさが小さくなり、ＬＣＤディスプレイ１０４の解像度と面積では見づらくなってしまうからである。また、ズーム表示では、一定の大きさまでは拡大表示することができるが、無限に拡大することができるわけではなく、拡大できる最大の倍率が予め決められている。これはＬＣＤディスプレイ１０４には表示用のサムネイル画像が表示されるため、ズーム倍率を上げすぎると、画像が荒く表示されてしまうからである。
【００２８】
次に、ＰＣ１１１にデジタルカメラ１０１を接続する場合について説明する。具体的には、ＰＣにデジタルカメラを接続した際の両ディスプレイの活用例について説明する。
【００２９】
本実施形態では、デジタルカメラ１０１とＰＣ１１１とを接続することにより、システムとして第１のディスプレイと第２のディスプレイという、２つのディスプレイを備えることになる。以下、この２つのディスプレイの表示制御について説明する。
【００３０】
本実施形態における画像表示システムでは、デジタルカメラ１０１単体で操作した場合と同様のディスプレイ表示を、接続先のＰＣ１１１に接続されたディスプレイ１１４上にも表示させることが可能である（同期表示）。また、この際にユーザは、デジタルカメラ１０１の操作系１０５を用いて、デジタルカメラ１０１側の表示及びＰＣ１１１側の表示の両方を操作することができる。これにより、ユーザいつもデジタルカメラ１０１で操作している感覚でＰＣ１１１も操作することを可能とし、容易に両ディスプレイで画像などを確認することができる。
【００３１】
しかし、一般にＰＣに接続されているディスプレイは、カメラのＬＣＤディスプレイ１０４（以下、カメラディスプレイとも呼ぶ）に比べてサイズおよび解像度が高いことが多い。そのため、ＰＣのディスプレイ１１４（以下、ＰＣディスプレイとも呼ぶ）にデジタルカメラで表示している画面とまったく同一のものを表示すると、解像度が高いという特性を活かしきれない場合がある。つまり、異なるディスプレイを用いて同期表示しようとすると、機能が低い方のディスプレイに合わせざるを得ないため、もう一方のディスプレイの機能が十分発揮できない場合がある。
【００３２】
そこで、本実施形態では、ＰＣディスプレイ１１４に、カメラディスプレイ１０４上では大きさあるいは解像度の低さが原因で表示できない情報を表示する。このことにより、カメラ単体では実現できなかった表示機能を提供し、一般にカメラディスプレイ１０４よりも解像度が高く、画面サイズが大きいというＰＣディスプレイ１１４の特性を活かすことができる。
【００３３】
以下に、デジタルカメラ１０１のＬＣＤディスプレイ（カメラディスプレイ）１０４とＰＣ１１１のディスプレイ（ＰＣディスプレイ）１１４の双方を有効に活用して画像を表示する第１の実施形態について説明する。
【００３４】
本実施形態では、カメラディスプレイ１０４及びＰＣディスプレイ１１４において画像をマルチ表示する場合を例に説明する。図６は、本実施形態におけるマルチ表示の画面の一例を示す図である。
【００３５】
まず、デジタルカメラ１０１とＰＣ１１１とが接続されたときには、カメラディスプレイ１０４とＰＣディスプレイ１１４が、ともにシングル表示状態６０１となる。この際、デジタルカメラ１０１側の十字キーボタン２０３を操作すると、画像送りをカメラディスプレイ１０４とＰＣディスプレイ１１４の双方で行うことができる。
【００３６】
また、デジタルカメラ１０１において前述したＴＥＬＥ／ＷＩＤＥダイヤル３０１をワイド方向に回転させるワイド操作を行なうと、両画面とも３×３のマルチ表示状態６０２となる。
【００３７】
ここで、十字キーボタン２０３を操作することで、画像を選択状態にするためのカーソルを移動させることができる。カメラディスプレイ１０４のカーソルの移動に連動して、ＰＣディスプレイ１１４も同時にカーソルが移動する。
【００３８】
カメラの機種によっては、更にワイド操作をすることにより、表示中の３×３すべての画像を選択状態とし、１回の操作で９画像ずつの画面移動を行なうこともできる。
【００３９】
ここまでは、カメラディスプレイ１０４単体でも表示可能な表示機能をＰＣディスプレイ１１４上でも同様に表示しているだけであるが、ＴＥＬＥ／ＷＩＤＥダイヤル３０１を更にワイド側に操作したときの状態が６０４に示されている。ここでは、ＰＣディスプレイ１１４上にカメラディスプレイ１０４で表示可能な３×３までのマルチ表示を超えた９×９のマルチ表示を可能としている。一方、カメラディスプレイ１０４では、前画面における中央に配置されていた画像をシングル表示する。つまり、今まで同じ表示を行っていたカメラディスプレイ１０４とＰＣディスプレイ１１４の画面が、この時点で異なったものとなる。即ち、ディスプレイの解像度の違いを判定し、それに応じて許容する表示機能のレベルを異ならせる。ＰＣディスプレイ１１４上では、カメラディスプレイ１０４上で表示されている画像にフォーカスが当たっている状態となり、カメラ操作による画像送りに伴ってカーソル移動が行われる。ＰＣディスプレイの解像度によっては、更に大量の画像を表示するマルチ表示を可能としてもよい。
【００４０】
なお、例えば９×９のマルチ表示から３×３のマルチ表示への復帰時は、ワイド操作を行なった分だけ、ＴＥＬＥ／ＷＩＤＥダイヤル３０１をズーム方向に回転させる。このズーム操作により、カメラ単体でも表示可能であった３×３のマルチ表示に両画面とも戻る。ここではＰＣ側の表示が９×９になったときに、カメラ側の表示はシングル表示となったが、カメラ側は３×３表示を続行してもよい。
【００４１】
なお、この表示制御は、デジタルカメラ１０１のシステム制御部１０２とＰＣ１１１のシステム制御部１１２の連携によって行われる。
【００４２】
図７は、上記の画面遷移を実現するための表示モードを決定する処理を示すフローチャートである。
【００４３】
まず、システム制御部１１２はデジタルカメラ１０１がＰＣ１１１に接続されたことを検知し、アプリケーションを起動させる（ステップＳ７０１）。
【００４４】
そして、システム制御部１１２はＰＣディスプレイ１１４の解像度を取得する（ステップＳ７０２）。
【００４５】
さらに、システム制御部１１２はデジタルカメラ１０１からカメラディスプレイ１０４の解像度を取得するための要求をデジタルカメラ１０１に対して送信する。デジタルカメラ１０１は要求を受信し、自機のカメラディスプレイ１０４の解像度をＰＣ１１１に送信する。ＰＣ１１１はデジタルカメラ１０１が送信したカメラディスプレイ１０４の解像度を受信する（ステップＳ７０３）。
【００４６】
システム制御部１１２は、ステップＳ７０２及びＳ７０３で取得したＰＣディスプレイ１１４の解像度とカメラディスプレイ１０４の解像度とを比較する（ステップＳ７０４）。ＰＣディスプレイ１１４の方が解像度が高いと判断された場合には処理をステップＳ７０５に進める。ＰＣディスプレイ１１４の解像度がカメラディスプレイ１０４と同等であったと判断された場合は、処理をステップＳ７１０に進める。ＰＣディスプレイ１１４の解像度の方が低いと判断された場合には、処理をステップＳ７１１に進める。
【００４７】
以下、ステップＳ７０４において、ＰＣディスプレイ１１４の方が解像度が高い場合と判断された場合について説明する。この場合、システム制御部１１２は、ＰＣディスプレイ１１４の解像度を判定する（ステップＳ７０５）。解像度がＳＶＧＡであれば、処理をステップＳ７０６に進める。解像度がＸＧＡであれば、処理をステップＳ７０７に進める。解像度がＳＸＧＡであれば、処理をステップＳ７０８に進める。ステップＳ７０６〜ステップＳ７０８では、拡張表示モードでサポートする拡張表示ステップとその上限が決定される。つまり、ステップＳ７０５の処理は、ＰＣディスプレイ１１４の解像度に応じて拡張表示モードでサポートする拡張表示ステップを判断する処理といえる。
【００４８】
ここで本実施形態における拡張表示モードとは、デジタルカメラ１０１とは異なる形態で表示を行うことが可能なモードである。例えば、本実施形態におけるデジタルカメラ１０１は、３×３のマルチ表示まで行うことができる。それに対してＰＣ１１１の表示モードが拡張表示モードに設定されている場合、３×３より多くの画像をＰＣ１１１でマルチ表示することができる。
【００４９】
また、本実施形態における拡張表示ステップとは、拡張表示モードにおいて、ＰＣ１１１が何段階のマルチ表示を行えるかを示す値である。本実施形態では、拡張表示モードにおいて５×５、９×９、１５×１５の３段階のマルチ表示が用意されている。そして、例えばシステム制御部１１２が拡張表示ステップを「２」と決定すれば、ＰＣ１１１では２段階の拡張、つまり５×５と９×９のマルチ表示が可能となる。
【００５０】
以下、ステップＳ７０６〜Ｓ７０９の処理について説明する。これらのステップでは、ステップＳ７０２で取得した解像度からサポートするステップ数を確定する。
【００５１】
ＰＣディスプレイ１１４の解像度がＳＶＧＡであれば、システム制御部１１２は拡張表示ステップを１に設定し、５×５のマルチ表示までサポートする（ステップＳ７０６）。
【００５２】
また、ＰＣディスプレイ１１４の解像度がＸＧＡであれば、システム制御部１１２は拡張表示ステップを２に設定し、５×５, ９×９のマルチ表示をサポートする（ステップＳ７０７）。
【００５３】
さらに、ＰＣディスプレイ１１４の解像度がＳＸＧＡであれば、システム制御部１１２は拡張表示ステップを３に設定し、５×５, ９×９, １５×１５のマルチ表示までサポートする（ステップＳ７０８）。このように、解像度が高くなるにつれて、ＰＣディスプレイ１１４にマルチ表示可能な画像の数は段階的に増加される。
【００５４】
次に、ステップＳ７０４においてＰＣディスプレイ１１４の解像度がカメラディスプレイ１０４と同等であると判断された場合について説明する。この場合、システム制御部１１２は、表示モードを拡張表示モードではなく、同期表示モードに設定する（ステップＳ７１０）。同期表示モードとは、デジタルカメラ１０１が単体で表示している情報を、ＰＣディスプレイ１１４にも同期させて表示するモードである。つまり、システム制御部１１２は、ＰＣディスプレイ１１４にマルチ表示を行う場合でも、デジタルカメラ１０１と同様、３×３のマルチ表示まで可能とする。
【００５５】
また、ステップＳ７０４においてＰＣディスプレイ１１４の解像度の方が低いと判断された場合について説明する。この場合、システム制御部１１２は、モードを制限表示モードに設定する（ステップＳ７１１）。制限表示モードとは、ＰＣディスプレイ１１４に表示する情報をデジタルカメラ１０１に表示される情報よりも少なくすることが可能なモードである。例えば、制限表示モードにおいてシステム制御部１１２は、カメラディスプレイ１０４でマルチ表示が実行されている状態であっても、制限表示モードでＰＣディスプレイ１１４にはカーソルで選択されている画像のみを表示する。
【００５６】
以上が、表示モードの設定処理である。なお、本実施形態では、ディスプレイ間の解像度の差に基づいて表示モードを決定したが、表示モードの決定方法はこの場合に限定されない。
【００５７】
例えば、ＰＣディスプレイの解像度が予め定められたしきい値よりも高い場合に、拡張表示モードへの遷移をおこなうようにしてもよい。また、ＰＣディスプレイ１１４が一般にカメラディスプレイ１０４よりも解像度が高いことを考慮し、デジタルカメラ１０１と接続したＰＣ１１１は無条件に拡張表示モードに遷移できるようにしてもよい。
【００５８】
次に、デジタルカメラ１０１での操作及び表示をＰＣ１１１にも反映させ、表示を同期させるための基本的な処理を説明する。同期表示モードでは、基本的に下記の処理を実行することになる。
【００５９】
図８に、ユーザのカメラ操作に応じて表示が更新されることにより、カメラディスプレイ１０４と同様の情報をＰＣディスプレイ１１４に表示される処理を示すフローチャートである。
【００６０】
まず、ＰＣ１１１のシステム制御部１１２は、デジタルカメラ１０１に対し、カメラ表示情報を要求する（ステップＳ８０１）。ここでカメラ表示情報とは、カメラディスプレイ１０４に表示中の内容を示す情報である。
【００６１】
デジタルカメラ１０１は、ＰＣ１１１の要求に応じて、カメラ表示情報をＰＣ１１１に送信する。ＰＣ１１１はデジタルカメラ１０１から送信されたカメラ表示情報を受信する（ステップＳ８０２）。
【００６２】
カメラ表示情報の具体的な内容を図９に示す。「Ｃａｍｅｒａ  Ｓｔａｔｅ」はデジタルカメラ１０１の状態を示すものであり、次のような状態を示す。例えば、現在カメラ操作による同期表示機能を実行している状態、拡張表示中の状態、さらには、ＰＣ１１１と同期していない状態などである。
【００６３】
また、「Ｃａｍｅｒａ  Ｍｏｄｅ  ＩＤ」は、カメラディスプレイ１０４レイアウト状態を表わすものである。ここで、この「Ｃａｍｅｒａ  Ｍｏｄｅ  ＩＤ」は、例えばシングル表示／マルチ表示の区別を示したり、単一もしくは複数の画像のレイアウトを定義するＩＤとして汎用性を持たせる。
【００６４】
また、「Ｏｂｊｅｃｔ  Ｈｎａｄｌｅ」は、画像を特定する識別番号であり、本実施形態では、現在選択状態にある画像のＯｂｊｅｃｔ  Ｈｎａｄｌｅが記述される。ここで選択状態にある画像とは、例えばカメラディスプレイ１０４上に１つの画像が表示されている場合は、表示中の画像が選択状態となっている。また、マルチ表示の場合は、複数の画像の中でカーソルの当たっている画像が選択状態である。なお、選択状態となる画像は１つとは限らず、一度に複数の画像を選択状態にすることもできるものとする。
【００６５】
「Ｏｂｊｅｃｔ  Ｈａｎｄｌｅ  Ｎｕｍ」は、表示されている画像の個数を表す。
【００６６】
図８のフローに説明を戻す。システム制御部１１２は、上記のカメラ表示情報を元に、ＰＣディスプレイ１１４に表示するために必要とされる画像をＨＤＤ１１８から取得する（ステップＳ８０３）。具体的には、カメラ表示情報に含まれるＯｂｊｅｃｔ  Ｈｎａｄｌｅで特定される画像を、ＨＤＤ１１８を検索することにより取得する。
【００６７】
そしてシステム制御部１１２は、ＰＣディスプレイ１１４上にカメラディスプレイ１０４と同様のレイアウトで画像の表示を行なう（ステップＳ８０４）。具体的には、カメラ示情報に含まれる「Ｃａｍｅｒａ  Ｍｏｄｅ  ＩＤ」に含まれるレイアウトで取得した画像を表示する。
【００６８】
ここで、ステップＳ８０３において、、ＰＣ１１１はデジタルカメラ１０１から画像を取得して表示してもよい。具体的には、システム制御部１１２がカメラ表示情報に含まれるＯｂｊｅｃｔ  Ｈｎａｄｌｅで特定される画像をデジタルカメラ１０１に対して要求する。要求を受信したデジタルカメラ１０１は要求された画像を不揮発性メモリ１０８から検索し、ＰＣ１１１に送信することで実現される。
【００６９】
システム制御部１１２は上記の処理を、ユーザーがデジタルカメラ１０１を操作したことに応じてシステム制御部１０２が発行するキーイベント、例えば画像送り操作などをトリガーとして実行する。ここでいうキーイベントとは、デジタルカメラ１０１に対して行われた操作を示す操作情報である。そして、このキーイベントを取得して判断する手段（ステップＳ８０５）を備えるものとする。また、キーイベントについては、直接デジタルカメラ１０１から通知されるようにしてもよいが、本実施形態では、ＰＣ１１１がデジタルカメラ１０１に対してイベントポーリングを行なうものとする。
【００７０】
ここまで、デジタルカメラ１０１の操作・表示をＰＣ１１１に反映させる基本的な処理について説明した。次に、拡張表示モードにおける処理について説明する。図１０は、同期表示モード及び拡張表示モードで表示する場合の処理を示すフローチャートである。
【００７１】
ステップＳ９０２からＳ９０５までは、図８のステップＳ８０２からＳ８０５までの動作とほぼ同様であるから、共通する部分の説明は省略する。
【００７２】
ステップＳ９０５にてキーイベントを取得した際に、システム制御部１１２はそのイベントのパラメータを確認する（ステップＳ９０６）。ここで、イベントのパラメータについて説明する。
【００７３】
カメラディスプレイ１０４単体での表示機能には、表示限界によりキー操作を無効とするタイミングがある。今回のマルチ表示のケースでは、図６に示すとおりカメラの操作系１０５によるワイド操作により、６０１のシングル表示から６０２のマルチ表示へ、そして６０３の全画像が選択されカーソルが当たった状態へと遷移する。しかし、６０３に示す状態からさらにワイド操作を行なっても、システム制御部１０２はワイド操作を無効とするよう制御する。
【００７４】
このように、操作が無効となる操作が行われた場合、システム制御部１０２はあらかじめ限界であること、つまり操作が無効であることを示すパラメータをキーイベントに付加し、ＰＣ１１１に送信する。
【００７５】
システム制御部１１２は、キーイベントを取得した際（ステップＳ９０５）に、限界パラメータをデジタルカメラ１０１から取得したか否かを判断する（ステップＳ９０６）。取得したと判断した場合には、表示モードを拡張表示モードへと遷移させ、処理をステップＳ９０８に進める。取得していないと判断した場合には、処理をステップＳ９０２に戻し、同期表示モードを続行する。すなわち、デジタルカメラ１０１からカメラ表示情報を取得して画像の表示を更新する。
【００７６】
以下、キーイベントから限界パラメータを取得して、拡張表示モードに遷移した場合について説明する。まず、システム制御部１１２は、デジタルカメラ１０１に拡張表示モードを設定させる（ステップＳ９０７）。これは、システム制御部１１２がデジタルカメラ１０１に対し、自機が拡張表示モードに遷移したことを通知し、デジタルカメラ１０１のシステム制御部１０２が通知に応じて自機を拡張表示モードに設定することで実現される。なお、上述の通知にはデジタルカメラ１０１を拡張表示モードに設定するための制御信号が含まれていてもよい。
【００７７】
ここで、デジタルカメラ１０１における拡張表示モードについて説明する。本実施形態におけるデジタルカメラ１０１は、ＰＣ１１１が拡張表示モードの間、カメラディスプレイ１０４の表示はシングル表示とする。つまり、ＰＣ１１１が拡張表示モードの場合、デジタルカメラ１０１のシステム制御部１０２は、ワイド操作／ズーム操作に応じたカメラディスプレイ１０４の表示内容の更新を行わない。このような処理を実行するために、拡張表示モードがデジタルカメラ１０１に設定されると（ステップＳ９０７）、システム制御部１０２は、カメラディスプレイ１０４の表示をシングル表示に切り替える。また、デジタルカメラ１０１のワイド操作／ズーム操作によりカメラディスプレイ１０４の更新を行わないよう制御する。ただし、このモードが設定されていても、ワイド操作／ズーム操作でのキーイベントはＰＣ１１１に対して送信し、限界パラメータは送信しないものとする。このようにキーイベントを送信することにより、拡張表示ステップをＰＣ１１１側でカウントすることが可能となる。また、同期表示モードに復帰する条件を満たした場合には、デジタルカメラの拡張表示モードを解除することで同期表示モードに復帰する（ステップＳ９１８）。
【００７８】
なお、ＰＣ１１１が拡張表示モードの間、カメラディスプレイ１０４の表示をシングル表示とする理由は以下の通りである。すなわち、拡張表示を行う操作がされたということは、ユーザはＰＣディスプレイ１１４を見ている可能性が高いため、ＰＣ１１４がマルチ表示されればよいと考えられるからである。さらに、例えばカメラディスプレイ１０４で３×３、ＰＣディスプレイ１１４で５×５などでマルチ表示すると、マルチ表示のレイアウトがディスプレイ間で異なることになる。すると、ユーザが一見してディスプレイ間の整合を把握することが難しいことにもよる。
【００７９】
ステップＳ９０８以下の拡張表示モード遷移後の処理は、次のとおりである。
【００８０】
まず、システム制御部１１２は、カメラディスプレイ１０４に表示されているカメラ表示情報を要求し、デジタルカメラ１０１から送信されたカメラ表示情報を取得する（ステップＳ９０８）。前述したように、この場合は、カメラディスプレイ１０４はシングル表示となっている。したがって、カメラ表示モード等については変化がなく、選択状態にある画像の識別番号のみが有用な情報となる。
【００８１】
次にシステム制御部１１２は、カメラ表示情報に基づき、カメラディスプレイ１０４で表示中の画像を取得する（ステップＳ９０９）。続いてシステム制御部１１２は、カメラディスプレイ１０４で表示していないがＰＣディスプレイ１１４上で表示する対象となる画像を取得する（ステップＳ９１０）。例えば、５×５の表示を行う場合は、カメラディスプレイ１０４で表示中の画像から、表示順に前後１２枚の画像を取得する。
【００８２】
取得の方法は何通りかが考えられる。例えば、ＰＣ１１１がデジタルカメラ１０１に記憶された画像の識別番号及び表示順を示すリストを要求・受信し、そのリストに基づき、取得する画像を特定する方法がある。また、ＰＣ１１１がカメラディスプレイ１０４で表示中の画像から、表示順に前後１２枚の画像の識別番号を問い合わせ、デジタルカメラ１０１がその識別番号を応答する方法でもよい。
【００８３】
システム制御部１１２は、取得した画像をマルチ表示のレイアウトにてＰＣディスプレイ１１４上に表示する（ステップＳ９１１）。この際、カメラディスプレイ１０４上で表示されている画像にカーソルが当たった状態で表示する。
【００８４】
次に、システム制御部１１２は、キーイベントを受信したか否かを判断する（ステップＳ９１２）。受信したと判断した場合には処理をステップＳ９１３に進め、画面の更新処理を行う。受信しなかったと判断した場合は、処理を繰り返す。これは、マルチ表示の拡張表示を行なっている際には、ＴＥＬＥ／ＷＩＤＥダイヤル３０１によるワイド操作とズーム操作によるキーイベントにより、現在の拡張表示モードから同期表示モードへと表示モードを復帰させるがあるからである。そのため、ＰＣ１１１は、ワイド操作とズーム操作によるキーイベントからＰＣによってモードの遷移を管理する必要がある。
【００８５】
次に、システム制御部１１２は、キーイベントがワイド操作によるものであるか、ズーム操作によるものであるかを判断する（ステップＳ９１３）。ワイド操作によるものであると判断すれば、マルチ表示ステップをカウントアップする（ステップＳ９１６）。マルチ表示ステップはワイド操作が行われるたびにカウントアップされ、最終的には図７のステップＳ７０６〜ステップＳ７０８で決定した、サポートする上限のマルチ表示ステップまでカウントアップする。
【００８６】
次にシステム制御部１１２は、マルチ表示枚数を更新する（ステップＳ９１７）。例えば、５×５のマルチ表示の状態で画像が表示された状態でワイド操作が行われた場合は、９×９でマルチ表示するよう画面を更新する。
【００８７】
次にステップＳ９１３において、システム制御部１１２によりキーイベントがズーム操作によるものと判断された場合について説明する。この場合は、ワイド操作が行われた場合と逆の処理を行う。すなわち、システム制御部１１２は拡張表示ステップをカウントダウンし（ステップＳ９１４）、同期表示モードに復帰すべき条件に達したか否かを判断する。（ステップＳ９１５）条件に達したと判断した場合には、拡張表示モードを解除する旨の通知をデジタルカメラ１０１に通知し、さらに自機を同期表示モードに設定する（ステップＳ９１８）。
【００８８】
なお、本実施形態では、ＰＣ１１１が拡張表示モードに設定されている間は、カメラディスプレイ１０４はシングル表示とする例について説明してきたが、実現方法としてはこの限りではない。他の方法を以下に説明する。
【００８９】
図１１に、マルチ表示における拡張表示パターンを示す。
【００９０】
デジタルカメラ１０１は、ＰＣ１１１から拡張表示モードに遷移した通知を受信した場合であっても、カメラディスプレイ１０４の表示をシングル表示にせず、マルチ表示された全画像が選択された状態のままとする。
【００９１】
ただし、この状態だと、マルチ表示のレイアウトがディスプレイ間で異なることになり、ユーザが一見してディスプレイ間の整合を把握することが難しいことは前述した。そこで、システム制御部１１２は、ＰＣディスプレイ１１４にマルチ表示された多数の画像の中で、カメラディスプレイにマルチ表示されている画像が識別できるように表示を制御する。。
【００９２】
例えば、図１１の(a)、(b)、(c)に示すように、この場合のＰＣディスプレイ１１４上での画像レイアウトはさまざまに考えられる。図１１の(a)、(b)、(c)では、カメラディスプレイにマルチ表示されている画像がハイライト表示されることにより、他の画像と識別できるように表示される。なお、他にもカメラディスプレイにマルチ表示されている画像を他の画像よりも大きく表示したり、アイコンを付加するなどして識別表示させることも可能である。
【００９３】
ここまで、ＰＣ１１１が拡張表示モードに設定される（図７のステップＳ７０６〜ステップＳ７０８）場合について説明した。
【００９４】
なお、図７にも示したように、両ディスプレイの解像度を比較した結果、同等であり、常に同期表示を行う場合には、先に示した図８のフローチャートに従えば実現できる。
また、ＰＣディスプレイ１１４の解像度の方がカメラディスプレイ１０４よりも低い場合においては、基本的には同期表示の際のフロー（図８）で実現可能である。その際には、ＰＣディスプレイ１１４側で表示する内容としてカメラディスプレイ１０４上で表示されているカーソルの当たった画像のみを取得して表示すればよい。
【００９５】
以上述べたように、本実施形態におけるＰＣ１１１は、マルチ表示において、デジタルカメラ１０１が可能な画像数よりも多い画像数を表示することが可能である。解像度の高く、大きなサイズを有するＰＣディスプレイ１１４に見合った画像を表示することが可能となる。
【００９６】
また、本実施形態におけるＰＣ１１１は、ＰＣディスプレイ１１４の解像度に応じて一度にマルチ表示できる画像数を決定する。このことにより、ＰＣ１１１はＰＣディスプレイ１１４の解像度に見合ったマルチ表示を行うことができる。
【００９７】
（第２の実施形態）
この第２の実施形態では、第１の実施形態と同様に、カメラ操作によりカメラディスプレイ１０４に表示されている情報と同様の情報をＰＣディスプレイ１１４に表示する。第１の実施形態におけるＰＣは、ワイド操作が行われた場合に拡張表示モードに遷移したが、本実施形態では、ズーム表示により拡張表示モードに遷移する。
【００９８】
なお、本実施形態は第１の実施形態と共通する部分が多いため、共通の部分は説明を省略し、本実施形態に特有の処理について主に説明する。
【００９９】
図１２は、本実施形態における画面遷移の様子を示した図である。
【０１００】
この実現方法は、図８に示すマルチ表示における拡張表示フローと同様のフローにて実現することができる。ただし、カメラ表示情報取得の際に、取得する情報の内容を変更する必要がある。
【０１０１】
図１３は、ズーム表示の際のカメラ表示情報の内容であり、マルチ表示のときの表示情報にあった表示画像数や各画像の識別番号などの代わりに、ズーム表示されている画像の現在の表示範囲の情報として左上と右下の座標となっている。この情報を元に、ＰＣディスプレイ１１４上でカメラディスプレイ１０４と同様の表示を行なうことができる。
【０１０２】
説明を図１２に戻す。まず、カメラディスプレイ１０４でシングル表示している状態１２０１からＴＥＬＥ／ＷＩＤＥダイヤル３０１を使用してズーム操作をした場合について説明する。この場合、システム制御部１０２は、カメラディスプレイ１０４に表示されている画像を拡大して表示する（状態１２０２）。
【０１０３】
またこの操作に伴い、システム制御部１０２はＰＣディスプレイ１１４の表示を更新し、カメラディスプレイ１０４と同様の情報を表示をする。操作に応じてデジタルカメラ１０１からＰＣ１１１にキーイベントが送信されるのは第１の実施形態と同様である。
【０１０４】
しかしながら、カメラディスプレイ１１４で表示できるズーム倍率は、通常制限されている。したがって、カメラディスプレイ１１４で実現可能な最大ズーム倍率まで達した場合、システム制御部１０２はズーム操作を無効とする。その一方で本実施形態におけるシステム制御部１１２は、ＰＣディスプレイ１１４にデジタルカメラ１１０よりも高い倍率で画像を拡大して表示することを可能とする。
【０１０５】
本実施形態における拡張表示モードを実現するためのフローは、第１の実施形態とほぼ同様の処理であり、基本的には図１０と同様の処理である。以下、第１の実施形態と異なる処理について説明する。
【０１０６】
本実施形態におけるデジタルカメラ１０１のシステム制御部１０２は、デジタルカメラ単体で拡大可能な最大倍率までズームした状態でさらにズーム操作が行われた場合、その操作を無効にする。さらに、ＰＣ１１１に送信するキーイベントに、限界パラメータを付加する。
【０１０７】
システム制御部１１２は、限界パラメータを受信すると（ステップＳ９０６）、自機を拡張表示モードに設定するとともに、拡張表示モードに設定された旨をデジタルカメラ１０１に通知する（ステップＳ９０７）。
【０１０８】
上記の処理により、ズーム操作に応じてＰＣ１１１が拡張表示モードに遷移する。さらにここからステップＳ９１３において、ズーム操作が検知された場合の画面遷移を、図１２を用いて説明する。
【０１０９】
図１２のうち、状態１２０１ではカメラディスプレイ１０４とＰＣディスプレイ１１４に同じ画面が表示されている。
【０１１０】
１２０１の状態でズーム操作が行われると、カメラディスプレイ１０４の表示が拡大される。また、それに同期してＰＣディスプレイ１１４の表示も拡大される。この状態１２０２が、カメラディスプレイ１０４で拡大可能な最大の倍率であるとする。
【０１１１】
１２０２の状態でさらにズーム操作が行われると、拡大表示モードに遷移し、１２０３に示す状態となる。まず、システム制御部１１２は、ＰＣディスプレイ１１４にさらに画像を拡大して表示する。これはカメラディスプレイ１０４で拡大できる最大の倍率よりもさらに高い倍率で表示することを意味する。また、システム制御部１０２はズーム操作を無効とするため、カメラディスプレイ１０４の表示は１２０２の状態から変化しない。
本実施形態によれば、ＰＣディスプレイ１１４にカメラディスプレイ１０４よりも高い倍率で画像を表示させることができる。
【０１１２】
（第３の実施形態）
本実施形態では、カメラディスプレイ１０４とＰＣディスプレイ１１４のアスペクト比が異なっていた場合における表示処理について説明する。なお、本実施形態は第１の実施形態と共通する部分が多いため、共通の部分は説明を省略し、本実施形態に特有の処理について主に説明する。
【０１１３】
両ディスプレイ間でアスペクト比が異なることは十分にありえる。この状況下で、上記の実施形態のように同期表示を行うと、アスペクト比の差異によりＰＣディスプレイ１１４に表示に使用しない領域ができてしまう。したがって、ＰＣディスプレイ１１４の表示領域を効率的に活用できない状態となってしまう。
【０１１４】
そこで本実施形態では、ＰＣディスプレイ１１４の表示領域を効率的に活用する処理を行う。なお、システム制御部１１２はＰＣディスプレイ１１４及びカメラディスプレイ１０４の解像度を取得しているため、この値を元に両ディスプレイのアスペクト比を取得することが可能である。
【０１１５】
このようなアスペクト比の差異による未使用領域の使用例を図１４、１５に示す。
【０１１６】
図１４は、本実施形態において４：３のアスペクト比のカメラディスプレイ１０４を有するデジタルカメラ１０１と、アスペクト比１６：９のＰＣディスプレイ１１４を有するＰＣ１１１とが接続された場合に表示される画面の例を示す図である。
【０１１７】
通常、１６：９のＰＣディスプレイ１１４は画像の表示領域１４０１にアスペクト比が４：３の画像が表示され、その左右が未使用領域１４０２となる。しかしながら本実施形態におけるシステム制御部１１２は、カメラディスプレイ１０４のアスペクト比が４：３であることを検知すると、アスペクト比４：３の画像を表示する領域１４０５を設け、画像を表示する。この領域１４０５に、カメラディスプレイ１０４で選択状態にある画像が表示される。さらにシステム制御部１１２は、領域１４０５の画面右側に領域１４０４を設け、領域１４０５に表示した画像の、前後画像を表示することが可能である。これは、ＰＣ１１１側で両ディスプレイのアスペクト比の差異を検出した後に、カメラ操作で同期して表示する領域（１４０４）と、ＰＣで任意に定めたレイアウトでカメラ操作に同期して表示の更新が行なわれる領域（１４０５）に分割することで実現可能である。
【０１１８】
さらに図１５に、１６：９のアスペクト比のカメラディスプレイ１０４を有するデジタルカメラ１０１と、アスペクト比４：３のＰＣディスプレイ１１４を有するＰＣ１１１とが接続された場合に表示される画面の例を示す。
【０１１９】
この場合は通常、４：３のＰＣディスプレイ１１４は画像の表示領域１５０１にアスペクト比が１６：９の画像が表示され、その上下が未使用領域１５０２となる。しかしながら、本実施形態におけるシステム制御部１１２は、カメラディスプレイ１０４のアスペクト比が１６：９であることを検知すると、アスペクト比１６：９の画像を表示する領域１５０５を設け、画像を表示する。この領域１４０５に、カメラディスプレイ１０４で選択状態にある画像が表示される。さらにシステム制御部１１２は、領域１５０５の画面下側に領域１５０４を設け、領域１５０５に表示した画像の、前後画像を表示することが可能である。
【０１２０】
つまりＰＣディスプレイ１１４の未使用領域に、画像に関連する情報を表示することにより、未使用領域を効率的に使用することが可能となる。
【０１２１】
また、画像の表示領域１４０１の左右（１５０１の上下）にあった未使用領域を１つにまとめて画像に関連する情報を表示するようにしたため、より大きなサイズで画像に関連する情報を表示することが可能となる。
【０１２２】
（他の実施形態）
各実施形態の説明において、デジタルカメラとＰＣを例として説明したが、必ずしもこの組合わせに限定されない。例えば、デジタルカメラの代わりに画像が表示可能な携帯電話や、画像ビューアなどを用いることも可能である。また、ＰＣの代わりにテレビなどの表示装置を用いることも可能である。
【０１２３】
また、各実施形態の目的は、次のような方法によっても達成される。すなわち、前述した実施形態の機能を実現するソフトウェアのプログラムコードを記録した記憶媒体（または記録媒体）を、システムあるいは装置に供給する。そして、そのシステムあるいは装置のコンピュータ（またはＣＰＵやＭＰＵ）が記憶媒体に格納されたプログラムコードを読み出し実行する。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、本発明には次のような場合も含まれる。すなわち、プログラムコードの指示に基づき、コンピュータ上で稼働しているオペレーティングシステム（ＯＳ）などが実際の処理の一部または全部を行い、その処理によって前述した実施形態の機能が実現される。
【０１２４】
さらに、次のような場合も本発明に含まれる。すなわち、記憶媒体から読み出されたプログラムコードが、コンピュータに挿入された機能拡張カードやコンピュータに接続された機能拡張ユニットに備わるメモリに書込まれる。その後、そのプログラムコードの指示に基づき、その機能拡張カードや機能拡張ユニットに備わるＣＰＵなどが実際の処理の一部または全部を行い、その処理によって前述した実施形態の機能が実現される。
【０１２５】
本発明を上記記憶媒体に適用する場合、その記憶媒体には、先に説明した手順に対応するプログラムコードが格納されることになる。
【０１２６】
なお、上記の各実施形態は、適宜組み合わせることが可能である。
【符号の説明】
【０１２７】
１０１  デジタルカメラ
１０２  システム制御部
１０３  ＵＳＢインターフェース
１０４  ＬＣＤディスプレイ
１０５  操作系
１１１  コンピュータ
１１２  システム制御部
１１３  ＵＳＢインターフェース
１１４  ディスプレイ
１１５  キーボード
１１６  マウス
【図１】
2013008036.tif 000003
【図２】
2013008036.tif 000004
【図３】
2013008036.tif 000005
【図４】
2013008036.tif 000006
【図５】
2013008036.tif 000007
【図６】
2013008036.tif 000008
【図７】
2013008036.tif 000009
【図８】
2013008036.tif 000010
【図９】
2013008036.tif 000011
【図１０】
2013008036.tif 000012
【図１１】
2013008036.tif 000013
【図１２】
2013008036.tif 000014
【図１３】
2013008036.tif 000015
【図１４】
2013008036.tif 000016
【図１５】
2013008036.tif 000017
【手続補正書】
【提出日】平成24年8月20日(2012.8.20)
【手続補正１】
【補正対象書類名】特許請求の範囲
【補正対象項目名】全文
【補正方法】変更
【補正の内容】
【特許請求の範囲】
【請求項１】
第１の画像を表示する第１のディスプレイを有する画像処理装置であって、
前記第１の画像に対応する第２の画像を表示する第２のディスプレイを有する情報処理装置と通信する通信手段と、
ユーザ操作を受け付ける操作手段と、
前記操作手段により受け付けられた操作に応じて前記第１のディスプレイに表示される画像の数を増加させる変更手段とを有し、
前記通信手段は、前記操作手段により受け付けられた操作に応じて前記第２のディスプレイに表示される画像の数を増加させるための情報を前記情報処理装置に送信し、
前記第１のディスプレイにおいて所定数の第１の画像が表示されている状態で、前記操作手段が前記第１のディスプレイに表示される画像の数を増加させるための操作を受け付けた場合、前記変更手段は、前記第１のディスプレイに表示される画像の数を増加させず、前記通信手段は、前記第２のディスプレイに表示される画像の数を増加させるための情報を前記情報処理装置に送信することを特徴とする画像処理装置。
【請求項２】
前記第１のディスプレイにおいて前記所定数の前記第１の画像が表示されている状態で、前記操作手段が前記第１のディスプレイに表示される画像の数を増加させるための操作を受け付けた場合、前記変更手段は、前記第１のディスプレイに表示される前記第１の画像の数を変更しないことを特徴とする請求項１に記載の画像処理装置。
【請求項３】
前記第１のディスプレイにおいて前記所定数の前記第１の画像が表示されている状態で、前記操作手段が前記第１のディスプレイに表示される画像の数を増加させるための操作を受け付けた場合、前記変更手段は、前記第１のディスプレイに表示される前記第１の画像の数を一つだけに変更することを特徴とする請求項１に記載の画像処理装置。
【請求項４】
前記第１のディスプレイにおいて前記所定数の前記第１の画像が表示されている状態で、前記操作手段が前記第１のディスプレイに表示される画像の数を増加させるための操作を受け付けた場合、前記通信手段は、前記第１のディスプレイに表示される画像の数を増加させるための操作を示す情報と共に、前記第１のディスプレイに表示されている第１の画像の数が前記所定数に達していることを示す情報を更に送信することを特徴とする請求項１乃至３のいずれか１項に記載の画像処理装置。
【請求項５】
前記第１のディスプレイに表示される画像の数が前記第２のディスプレイに表示される画像の数よりも少ない数である状態で、前記操作手段が前記第１のディスプレイに表示される画像の数を減少させるための操作を受け付けた結果、前記所定数よりも少ない数の画像が前記第２のディスプレイに表示される場合、前記変更手段は、前記第１のディスプレイに表示される画像の数を前記第２のディスプレイに表示される画像の数と同じ数になるように変更することを特徴とする請求項１乃至４のいずれか１項に記載の画像処理装置。
【請求項６】
前記所定数とは、前記第１のディスプレイに表示可能な前記第１の画像の最大数であることを特徴とする請求項１乃至５のいずれか１項に記載の画像処理装置。
【請求項７】
撮像手段を更に有し、
前記第１のディスプレイに表示される画像の数を増加させるための操作は、ワイド操作と共通の操作であることを特徴とする請求項１乃至６のいずれか１項に記載の画像処理装置。
【請求項８】
第１の画像を表示する第１のディスプレイを有する画像処理装置であって、
前記第１の画像に対応する第２の画像を表示する第２のディスプレイを有する情報処理装置と通信する通信手段と、
ユーザ操作を受け付ける操作手段と、
前記操作手段により受け付けられた操作に応じて前記第１の画像の拡大率を変更する変更手段とを有し、
前記通信手段は、前記操作手段により受け付けられた操作に応じて前記第１の画像に対応する第２の画像の拡大率を変更させるための情報を前記情報処理装置に送信し、
前記第１のディスプレイにおいて所定の拡大率で前記第１の画像が表示されている状態で前記操作手段が前記第１の画像の拡大率を大きくするための操作を受け付けた場合、前記変更手段は前記第１の画像の拡大率を大きくせず、前記通信手段は前記第１の画像に対応する第２の画像の拡大率を大きくさせるための情報を前記情報処理装置に送信することを特徴とする画像処理装置。
【請求項９】
前記第１の画像が前記第１のディスプレイにおいて前記所定の拡大率で表示されている状態で、前記操作手段が前記第１の画像の拡大率を大きくするための操作を受け付けた場合、前記変更手段は、前記第１の画像の拡大率を変更しないことを特徴とする請求項８に記載の画像処理装置。
【請求項１０】
前記第１のディスプレイにおいて前記所定の拡大率で前記第１の画像が表示されている状態で、前記操作手段が前記第１の画像の拡大率を大きくするための操作を受け付けた場合、前記通信手段は、前記第１の画像の拡大率を大きくさせるための情報と共に前記第１の画像の拡大率が前記第１のディスプレイにおいて前記所定の拡大率に達していることを示す情報を更に送信することを特徴とする請求項８または９に記載の画像処理装置。
【請求項１１】
前記所定の拡大率とは、前記第１のディスプレイにおいて表示可能な最大の拡大率であることを特徴とする請求項８乃至１０のいずれか１項に記載の画像処理装置。
【請求項１２】
撮像手段を更に有し、
前記第１の画像の拡大率を大きくするための操作は、ズーム操作と共通の操作であることを特徴とする請求項８乃至１１のいずれか１項に記載の画像処理装置。
【請求項１３】
第１のディスプレイを備える外部装置と通信し、かつ前記第１のディスプレイとは異なる第２のディスプレイへの出力が可能な情報処理装置であって、
前記外部装置が操作されたことを示す操作情報を受信する受信手段と、
前記操作情報に応じて、前記第１のディスプレイに表示される第１の画像に対応する第２の画像を前記第２のディスプレイに表示するよう制御する表示制御手段とを備え、
前記第１のディスプレイにおいて所定の拡大率で第１の画像が表示されている状態で、前記受信手段により拡大率を大きくさせるための操作情報が受信された場合、前記表示制御手段は、前記第１の画像よりも大きな拡大率で前記第２の画像を前記第２のディスプレイに表示するよう制御することを特徴とする情報処理装置。
【請求項１４】
第１のディスプレイを備える外部装置と通信し、かつ前記第１のディスプレイとは異なる第２のディスプレイへの出力が可能な情報処理装置であって、
前記外部装置が操作されたことを示す操作情報を受信する受信手段と、
前記操作情報に応じて、前記第１のディスプレイに表示される第１の画像に対応する第２の画像を前記第２のディスプレイに表示するよう制御する表示制御手段とを備え、
前記第１のディスプレイにおいて所定数の第１の画像が表示されている状態で、前記受信手段により表示される画像の数を増加させるための操作情報が受信された場合、前記表示制御手段は、前記第１のディスプレイに表示される画像の数よりも多い数の画像を前記第２のディスプレイに表示するよう制御することを特徴とする情報処理装置。
【請求項１５】
第１の画像を表示する第１のディスプレイを有する画像処理装置の制御方法であって、
前記第１の画像に対応する第２の画像を表示する第２のディスプレイを有する情報処理装置と通信する通信ステップと、
ユーザ操作を受け付ける操作ステップと、
前記操作ステップで受け付けられた操作に応じて前記第１のディスプレイに表示される画像の数を増加させる変更ステップとを有し、
前記通信ステップでは、前記操作ステップで受け付けられた操作に応じて前記第２のディスプレイに表示される画像の数を増加させるための情報を前記情報処理装置に送信し、
前記第１のディスプレイにおいて所定数の第１の画像が表示されている状態で、前記操作ステップで前記第１のディスプレイに表示される画像の数を増加させるための操作が受け付けられた場合、前記変更ステップでは、前記第１のディスプレイに表示される画像の数を増加させず、前記通信ステップでは、前記第２のディスプレイに表示される画像の数を増加させるための情報を前記情報処理装置に送信することを特徴とする画像処理装置の制御方法。
【請求項１６】
第１の画像を表示する第１のディスプレイを有する画像処理装置の制御方法であって、
前記第１の画像に対応する第２の画像を表示する第２のディスプレイを有する情報処理装置と通信する通信ステップと、
ユーザ操作を受け付ける操作ステップと、
前記操作ステップで受け付けられた操作に応じて前記第１の画像の拡大率を変更する変更ステップとを有し、
前記通信ステップでは、前記操作ステップで受け付けられた操作に応じて前記第１の画像に対応する第２の画像の拡大率を変更させるための情報を前記情報処理装置に送信し、
前記第１のディスプレイにおいて所定の拡大率で前記第１の画像が表示されている状態で、前記操作ステップで前記第１の画像の拡大率を大きくするための操作が受け付けられた場合、前記変更ステップでは前記第１の画像の拡大率を大きくせず、前記通信ステップでは前記第１の画像に対応する第２の画像の拡大率を大きくさせるための情報を前記情報処理装置に送信することを特徴とする画像処理装置の制御方法。
【請求項１７】
第１のディスプレイを備える外部装置と通信し、かつ前記第１のディスプレイとは異なる第２のディスプレイへの出力が可能な情報処理装置の制御方法であって、
前記外部装置が操作されたことを示す操作情報を受信する受信ステップと、
前記操作情報に応じて、前記第１のディスプレイに表示される第１の画像に対応する第２の画像を前記第２のディスプレイに表示するよう制御する表示制御ステップと、
前記第１のディスプレイにおいて所定の拡大率で第１の画像が表示されている状態で、拡大率を大きくさせるための操作情報が受信された場合、前記第１の画像よりも大きな拡大率で前記第２の画像を前記第２のディスプレイに表示するよう制御するステップとを有することを特徴とする情報処理装置の制御方法。
【請求項１８】
第１のディスプレイを備える外部装置と通信し、かつ前記第１のディスプレイとは異なる第２のディスプレイへの出力が可能な情報処理装置の制御方法であって、
前記外部装置が操作されたことを示す操作情報を受信する受信ステップと、
前記操作情報に応じて、前記第１のディスプレイに表示される第１の画像に対応する第２の画像を前記第２のディスプレイに表示するよう制御する表示制御ステップと、
前記第１のディスプレイにおいて所定数の第１の画像が表示されている状態で、表示される画像の数を増加させるための操作情報が受信された場合、前記第１のディスプレイに表示される画像の数よりも多い数の画像を前記第２のディスプレイに表示するよう制御するステップとを有することを特徴とする情報処理装置の制御方法。
【請求項１９】
コンピュータを、請求項１乃至７のいずれか１項に記載の画像処理装置の各手段として機能させるためのコンピュータが読取可能なプログラム。
【請求項２０】
コンピュータを、請求項８乃至１２のいずれか１項に記載の画像処理装置の各手段として機能させるためのコンピュータが読取可能なプログラム。
【請求項２１】
コンピュータを、請求項１３に記載の情報処理装置の各手段として機能させるためのコンピュータが読取可能なプログラム。
【請求項２２】
コンピュータを、請求項１４に記載の情報処理装置の各手段として機能させるためのコンピュータが読取可能なプログラム。
【手続補正３】
【補正対象書類名】明細書
【補正対象項目名】００１０
【補正方法】変更
【補正の内容】
【００１０】
上述した課題を解決するために、本発明に係わる画像処理装置は、第１の画像を表示する第１のディスプレイを有する画像処理装置であって、前記第１の画像に対応する第２の画像を表示する第２のディスプレイを有する情報処理装置と通信する通信手段と、ユーザ操作を受け付ける操作手段と、前記操作手段により受け付けられた操作に応じて前記第１のディスプレイに表示される画像の数を増加させる変更手段とを有し、前記通信手段は、前記操作手段により受け付けられた操作に応じて前記第２のディスプレイに表示される画像の数を増加させるための情報を前記情報処理装置に送信し、前記第１のディスプレイにおいて所定数の第１の画像が表示されている状態で、前記操作手段が前記第１のディスプレイに表示される画像の数を増加させるための操作を受け付けた場合、前記変更手段は、前記第１のディスプレイに表示される画像の数を増加させず、前記通信手段は、前記第２のディスプレイに表示される画像の数を増加させるための情報を前記情報処理装置に送信することを特徴とする。
【手続補正４】
【補正対象書類名】明細書
【補正対象項目名】００１１
【補正方法】変更
【補正の内容】
【００１１】
また、本発明に係わる画像処理装置は、第１の画像を表示する第１のディスプレイを有する画像処理装置であって、前記第１の画像に対応する第２の画像を表示する第２のディスプレイを有する情報処理装置と通信する通信手段と、ユーザ操作を受け付ける操作手段と、前記操作手段により受け付けられた操作に応じて前記第１の画像の拡大率を変更する変更手段とを有し、前記通信手段は、前記操作手段により受け付けられた操作に応じて前記第１の画像に対応する第２の画像の拡大率を変更させるための情報を前記情報処理装置に送信し、前記第１のディスプレイにおいて所定の拡大率で前記第１の画像が表示されている状態で前記操作手段が前記第１の画像の拡大率を大きくするための操作を受け付けた場合、前記変更手段は前記第１の画像の拡大率を大きくせず、前記通信手段は前記第１の画像に対応する第２の画像の拡大率を大きくさせるための情報を前記情報処理装置に送信することを特徴とする。
【手続補正５】
【補正対象書類名】明細書
【補正対象項目名】００１２
【補正方法】削除
【補正の内容】